(57)【特許請求の範囲】
【請求項１】
センサによる計測結果を示すセンサ情報を取得する取得部と、
前記取得部によって取得された前記センサ情報、および前記センサ情報に基づいて作成された管理情報の少なくともいずれか一方を表示する制御を行う表示制御部とを備え、
前記表示制御部は、広告を表示する制御を行うことが可能であり、
前記表示制御部は、前記センサ情報と、前記センサ情報および前記管理情報以外の他の情報とに基づく広告を表示する制御を行うことが可能であり、
前記表示制御部は、前記センサ情報または前記管理情報と、一般に公開されているパブリック情報、または前記センサの設置された施設に関するプライベート情報とに基づいて広告を選択し、選択した前記広告を表示する制御を行うことが可能である、管理装置。
【請求項２】
前記表示制御部は、前記センサ情報および前記管理情報の少なくともいずれか一方の表示に関するユーザの操作、に基づく広告を表示する制御を行うことが可能である、請求項１に記載の管理装置。
【請求項３】
前記取得部は、前記センサから送信された前記センサ情報を受信し、
前記表示制御部は、前記センサ情報の通信品質に基づく広告を表示する制御を行うことが可能である、請求項１または請求項２に記載の管理装置。
【請求項４】
前記表示制御部は、特定の組織または個人の広告を表示する制御を行うことが可能である、請求項１から請求項３のいずれか１項に記載の管理装置。
【請求項５】
前記表示制御部は、前記センサ情報および前記管理情報の少なくともいずれか一方と広告とを１つの画面に表示する制御を行うことが可能である、請求項１から請求項４のいずれか１項に記載の管理装置。
【請求項６】
前記表示制御部は、前記管理情報を表示していないときに広告を表示する制御を行うことが可能である、請求項１から請求項５のいずれか１項に記載の管理装置。
【請求項７】
センサと、
前記センサによる計測結果を示すセンサ情報を取得し、取得した前記センサ情報、および前記センサ情報に基づいて作成された管理情報の少なくともいずれか一方を表示する制御を行う管理装置とを備え、
前記管理装置は、広告を表示する制御を行うことが可能であり、
前記管理装置は、前記センサ情報と、前記センサ情報および前記管理情報以外の他の情報とに基づく広告を表示する制御を行うことが可能であり、
前記管理装置は、前記センサ情報または前記管理情報と、一般に公開されているパブリック情報、または前記センサの設置された施設に関するプライベート情報とに基づいて広告を選択し、選択した前記広告を表示する制御を行うことが可能である、管理システム。
【請求項８】
センサによる計測結果を示すセンサ情報を取得するステップと、
取得した前記センサ情報、および前記センサ情報に基づいて作成された管理情報の少なくともいずれか一方を表示する制御を行うステップと、
広告を表示する制御を行うステップとを含み、
広告を表示する制御を行うステップにおいて、前記センサ情報または前記管理情報と、一般に公開されているパブリック情報、または前記センサの設置された施設に関するプライベート情報とに基づいて広告を選択し、選択した前記広告を表示する制御を行う、管理方法。
【請求項９】
センサと、管理装置とを備える管理システムにおける管理方法であって、
前記センサによる計測結果を示すセンサ情報を送信するステップと、
前記管理装置が、前記センサ情報を受信するステップと、
前記管理装置が、受信した前記センサ情報、および前記センサ情報に基づいて作成された管理情報の少なくともいずれか一方を表示する制御を行うステップと、
前記管理装置が、記憶装置から広告情報を取得するステップと、
前記管理装置が、前記記憶装置から取得した前記広告情報の示す広告を表示する制御を行うステップとを含み、
広告を表示する制御を行うステップにおいて、前記管理装置が、前記センサ情報または前記管理情報と、一般に公開されているパブリック情報、または前記センサの設置された施設に関するプライベート情報とに基づいて広告を選択し、選択した前記広告を表示する制御を行う、管理方法。
【請求項１０】
管理装置において用いられる管理プログラムであって、コンピュータに、
センサによる計測結果を示すセンサ情報を取得するステップと、
取得した前記センサ情報、および前記センサ情報に基づいて作成された管理情報の少なくともいずれか一方を表示する制御を行うステップと、
広告を表示する制御を行うステップとを実行させるためのプログラムであり、
広告を表示する制御を行うステップにおいて、前記センサ情報または前記管理情報と、一般に公開されているパブリック情報、または前記センサの設置された施設に関するプライベート情報とに基づいて広告を選択し、選択した前記広告を表示する制御を行う、管理プログラム。
【請求項１１】
センサと、管理装置とを備える管理システムにおいて用いられる管理プログラムであって、コンピュータに、
前記センサによる計測結果を示すセンサ情報を送信するステップと、
前記管理装置が、前記センサ情報を受信するステップと、
前記管理装置が、受信した前記センサ情報、および前記センサ情報に基づいて作成された管理情報の少なくともいずれか一方を表示する制御を行うステップと、
前記管理装置が、記憶装置から広告情報を取得するステップと、
前記管理装置が、前記記憶装置から取得した前記広告情報の示す広告を表示する制御を行うステップとを実行させるためのプログラムであり、
広告を表示する制御を行うステップにおいて、前記管理装置が、前記センサ情報または前記管理情報と、一般に公開されているパブリック情報、または前記センサの設置された施設に関するプライベート情報とに基づいて広告を選択し、選択した前記広告を表示する制御を行う、管理プログラム。
【発明の詳細な説明】
【技術分野】
【０００１】
本発明は、管理装置、管理システム、管理方法および管理プログラムに関し、特に、センサによる計測結果を用いて管理対象の管理を行う管理装置、管理システム、管理方法および管理プログラムに関する。
【背景技術】
【０００２】
無線端末装置が通信可能なエリアであるセルを形成する無線基地局装置による通信サービスが提供されており、このような通信サービス等を利用したシステムとして、Ｍ２Ｍ（Ｍａｃｈｉｎｅ  ｔｏ  Ｍａｃｈｉｎｅ）システムが知られている。Ｍ２Ｍシステムでは、たとえば、無線機を搭載した機器同士が人間を介在せずに相互に情報をやり取りすることにより、自動的に機器の制御が行われる。
【０００３】
Ｍ２Ｍシステムの一例として、たとえば、特許文献１（特許第４２３７１３４号公報）には、以下のような技術が開示されている。すなわち、無線端末と、当該無線端末との無線通信が可能なゲートウェイノードと、無線端末の位置情報を保持する位置情報記憶装置とを有する移動体通信ネットワークと、上記無線端末からのメッセージ送信先である端末が接続される他のネットワークとがゲートウェイを介して接続されてなるネットワークシステムである。当該ネットワークシステムは、上記無線端末ごとに予め定めた送信先である上記端末のアドレスを保持する端末アドレス保持手段を有する。上記無線端末から上記端末へメッセージを送信する際には、上記ゲートウェイノードは、上記無線端末より無線フレームを受信すると、上記端末アドレス保持手段にアクセスして、無線端末ごとにメッセージの送信先の端末アドレスを特定し、当該特定した送信先の端末宛に上記ゲートウェイを介してメッセージを送信する。上記端末より上記無線端末へメッセージを送信する際には、上記ゲートウェイは、上記位置情報記憶装置にアクセスし、上記無線端末のＩＤから位置情報を取得し、当該取得した位置情報から該当するゲートウェイノードへメッセージを転送する。当該ゲートウェイノードは、上記無線端末へ上記メッセージを転送する。
【先行技術文献】
【特許文献】
【０００４】
【特許文献１】特許第４２３７１３４号公報
【特許文献２】特許第５１７２６４２号公報
【特許文献３】特開２０１３−１３４６０３号公報
【発明の概要】
【発明が解決しようとする課題】
【０００５】
このようなＭ２Ｍシステムの１つの利用形態として、センサによる計測結果を無線伝送することが可能な１または複数の計測装置を設置し、各計測装置から計測結果を収集し、収集した計測結果に基づいて管理対象を管理する管理システムが考えられる。このような利用形態において、より優れたサービスを提供する技術が望まれる。
【０００６】
この発明は、上述の課題を解決するためになされたもので、その目的は、センサによる計測結果を収集し、収集した計測結果に基づいて管理対象を管理する構成において、より優れたサービスを提供することが可能な管理装置、管理システム、管理方法および管理プログラムを提供することである。
【課題を解決するための手段】
【０００７】
（１）上記課題を解決するために、この発明のある局面に係る管理装置は、センサによる計測結果を示すセンサ情報を取得する取得部と、前記取得部によって取得された前記センサ情報、および前記センサ情報に基づいて作成された管理情報の少なくともいずれか一方を表示する制御を行う表示制御部とを備え、前記表示制御部は、広告を表示する制御を行うことが可能である。
【０００８】
（９）上記課題を解決するために、この発明のある局面に係る管理システムは、センサと、前記センサによる計測結果を示すセンサ情報を取得し、取得した前記センサ情報、および前記センサ情報に基づいて作成された管理情報の少なくともいずれか一方を表示する制御を行う管理装置とを備え、前記管理装置は、広告を表示する制御を行うことが可能である。
【０００９】
（１０）上記課題を解決するために、この発明のある局面に係る管理方法は、センサによる計測結果を示すセンサ情報を取得するステップと、取得した前記センサ情報、および前記センサ情報に基づいて作成された管理情報の少なくともいずれか一方を表示する制御を行うステップと、広告を表示する制御を行うステップとを含む。
【００１０】
（１１）またこの発明の別の局面に係る管理方法は、センサと、管理装置とを備える管理システムにおける管理方法であって、前記センサによる計測結果を示すセンサ情報を送信するステップと、前記管理装置が、前記センサ情報を受信するステップと、前記管理装置が、受信した前記センサ情報、および前記センサ情報に基づいて作成された管理情報の少なくともいずれか一方を表示する制御を行うステップと、前記管理装置が、記憶装置から広告情報を取得するステップと、前記管理装置が、前記記憶装置から取得した前記広告情報の示す広告を表示する制御を行うステップとを含む。
【００１１】
（１２）上記課題を解決するために、この発明のある局面に係る管理プログラムは、管理装置において用いられる管理プログラムであって、コンピュータに、センサによる計測結果を示すセンサ情報を取得するステップと、取得した前記センサ情報、および前記センサ情報に基づいて作成された管理情報の少なくともいずれか一方を表示する制御を行うステップと、広告を表示する制御を行うステップとを実行させるためのプログラムである。
【００１２】
（１３）またこの発明の別の局面に係る管理プログラムは、センサと、管理装置とを備える管理システムにおいて用いられる管理プログラムであって、コンピュータに、前記センサによる計測結果を示すセンサ情報を送信するステップと、前記管理装置が、前記センサ情報を受信するステップと、前記管理装置が、受信した前記センサ情報、および前記センサ情報に基づいて作成された管理情報の少なくともいずれか一方を表示する制御を行うステップと、前記管理装置が、記憶装置から広告情報を取得するステップと、前記管理装置が、前記記憶装置から取得した前記広告情報の示す広告を表示する制御を行うステップとを実行させるためのプログラムである。
【００１３】
本発明は、このような特徴的な処理部を備える管理装置として実現することができるだけでなく、管理装置の一部または全部を実現する半導体集積回路として実現することができる。
【発明の効果】
【００１４】
この発明によれば、センサによる計測結果を収集し、収集した計測結果に基づいて管理対象を管理する構成において、より優れたサービスを提供することができる。
【図面の簡単な説明】
【００１５】
【図１】図１は、本発明の第１の実施の形態に係る管理システムの構成を示す図である。
【図２】図２は、本発明の第１の実施の形態に係る管理システムにおいて、管理情報の表示された画面を示す図である。
【図３】図３は、本発明の第１の実施の形態に係る管理システムにおいて、管理情報および広告情報の表示された画面の一例を示す図である。
【図４】図４は、本発明の第１の実施の形態に係る管理システムにおいて、管理情報および広告情報の表示された画面の他の例を示す図である。
【図５】図５は、本発明の第１の実施の形態に係る管理システムにおいて、管理情報の表示された画面の他の例を示す図である。
【図６】図６は、本発明の第１の実施の形態に係る管理システムにおいて、管理情報および広告情報の表示された画面の他の例を示す図である。
【図７】図７は、本発明の第１の実施の形態に係る管理システムにおいて、広告情報の表示された画面の一例を示す図である。
【図８】図８は、本発明の第１の実施の形態に係る管理システムにおける計測装置の構成を示す図である。
【図９】図９は、本発明の第１の実施の形態に係る管理装置の構成を示す図である。
【図１０】図１０は、本発明の第１の実施の形態に係る管理システムが広告を表示する際のシーケンスの一例を示す図である。
【図１１】図１１は、本発明の第１の実施の形態に係る管理システムが広告を表示する際のシーケンスの他の例を示す図である。
【図１２】図１２は、本発明の第１の実施の形態に係る管理システムが広告を表示する際のシーケンスの他の例を示す図である。
【図１３】図１３は、本発明の第２の実施の形態に係る管理システムの構成を示す図である。
【図１４】図１４は、本発明の第２の実施の形態に係る管理装置の構成を示す図である。
【図１５】図１５は、本発明の第２の実施の形態に係る管理システムが広告を表示する際のシーケンスの一例を示す図である。
【図１６】図１６は、本発明の第２の実施の形態に係る管理システムが広告を表示する際のシーケンスの他の例を示す図である。
【発明を実施するための形態】
【００１６】
最初に、本発明の実施の形態の内容を列記して説明する。
【００１７】
（１）本発明の実施の形態に係る管理装置は、センサによる計測結果を示すセンサ情報を取得する取得部と、前記取得部によって取得された前記センサ情報、および前記センサ情報に基づいて作成された管理情報の少なくともいずれか一方を表示する制御を行う表示制御部とを備え、前記表示制御部は、広告を表示する制御を行うことが可能である。
【００１８】
このような構成により、たとえば、商品またはサービスの広告を管理情報等とともに表示することができるため、管理情報等を確認するユーザに、たとえば利便性の高い商品またはサービスの広告を提示することができる。したがって、センサによる計測結果を収集し、収集した計測結果に基づいて管理対象を管理する構成において、より優れたサービスを提供することができる。
【００１９】
（２）好ましくは、前記表示制御部は、前記センサ情報に基づく広告を表示する制御を行うことが可能である。
【００２０】
このような構成により、たとえば、センサ情報から管理対象に異常が発生したと判断できるような場合に、異常を解決するために用いられる商品またはサービスの広告をユーザに提示することにより、ユーザに異常への対処を促すことができ、また、提示した広告について高い効果を得ることができる。また、センサ情報から管理対象に異常が生じていないと判断できる場合に、たとえば、より適切に管理対象の管理を行うことが可能な商品またはサービスの広告をユーザに提示することもできる。
【００２１】
（３）より好ましくは、前記表示制御部は、前記センサ情報と、前記センサ情報および前記管理情報以外の他の情報とに基づく広告を表示する制御を行うことが可能である。
【００２２】
このような構成により、たとえば、センサ情報および他の情報に基づいて選択した広告をユーザに提示することができるため、ユーザにとってより有用な広告を提示することができる。
【００２３】
（４）好ましくは、前記表示制御部は、前記センサ情報および前記管理情報の少なくともいずれか一方の表示に関するユーザの操作、に基づく広告を表示する制御を行うことが可能である。
【００２４】
このような構成により、たとえば、ユーザの関心が高い事柄に関する商品またはサービスの広告をユーザに提示することができる。
【００２５】
（５）好ましくは、前記表示制御部は、前記センサ情報の通信品質に基づく広告を表示する制御を行うことが可能である。
【００２６】
このような構成により、たとえば、センサ情報の通信品質が悪い場合に、当該通信品質を改善することが可能な商品またはサービスの広告を提示することにより、ユーザに通信品質の改善を促すことができ、また、提示した広告について高い効果を得ることができる。
【００２７】
（６）好ましくは、前記表示制御部は、特定の組織または個人の広告を表示する制御を行うことが可能である。
【００２８】
このような構成により、たとえば、管理装置に関するサービスを提供する事業者が、自己の商品またはサービスの広告をユーザに提示することができる。また、当該事業者は、自己と契約を結んだ他の事業者の商品またはサービスの広告をユーザに提示した場合、当該他の事業者から広告収入を得ることができる。
【００２９】
（７）好ましくは、前記表示制御部は、前記センサ情報および前記管理情報の少なくともいずれか一方と広告とを１つの画面に表示する制御を行うことが可能である。
【００３０】
このような構成により、たとえば、管理情報等の表示された画面を確認するユーザに広告の内容を並行して認識させることができる。
【００３１】
（８）好ましくは、前記表示制御部は、前記管理情報を表示していないときに広告を表示する制御を行うことが可能である。
【００３２】
このような構成により、たとえば広告を画面の全体に表示することができるため、広告の効果を高めることができる。
【００３３】
（９）本発明の実施の形態に係る管理システムは、センサと、前記センサによる計測結果を示すセンサ情報を取得し、取得した前記センサ情報、および前記センサ情報に基づいて作成された管理情報の少なくともいずれか一方を表示する制御を行う管理装置とを備え、前記管理装置は、広告を表示する制御を行うことが可能である。
【００３４】
このような構成により、たとえば、商品またはサービスの広告を管理情報等とともに表示することができるため、管理情報等を確認するユーザに、たとえば利便性の高い商品またはサービスの広告を提示することができる。したがって、センサによる計測結果を収集し、収集した計測結果に基づいて管理対象を管理する構成において、より優れたサービスを提供することができる。
【００３５】
（１０）本発明の実施の形態に係る管理方法は、センサによる計測結果を示すセンサ情報を取得するステップと、取得した前記センサ情報、および前記センサ情報に基づいて作成された管理情報の少なくともいずれか一方を表示する制御を行うステップと、広告を表示する制御を行うステップとを含む。
【００３６】
このような構成により、たとえば、商品またはサービスの広告を管理情報等とともに表示することができるため、管理情報等を確認するユーザに、たとえば利便性の高い商品またはサービスの広告を提示することができる。したがって、センサによる計測結果を収集し、収集した計測結果に基づいて管理対象を管理する構成において、より優れたサービスを提供することができる。
【００３７】
（１１）本発明の実施の形態に係る管理方法は、センサと、管理装置とを備える管理システムにおける管理方法であって、前記センサによる計測結果を示すセンサ情報を送信するステップと、前記管理装置が、前記センサ情報を受信するステップと、前記管理装置が、受信した前記センサ情報、および前記センサ情報に基づいて作成された管理情報の少なくともいずれか一方を表示する制御を行うステップと、前記管理装置が、記憶装置から広告情報を取得するステップと、前記管理装置が、前記記憶装置から取得した前記広告情報の示す広告を表示する制御を行うステップとを含む。
【００３８】
このような構成により、たとえば、商品またはサービスの広告を管理情報等とともに表示することができるため、管理情報等を確認するユーザに、たとえば利便性の高い商品またはサービスの広告を提示することができる。したがって、センサによる計測結果を収集し、収集した計測結果に基づいて管理対象を管理する構成において、より優れたサービスを提供することができる。
【００３９】
（１２）本発明の実施の形態に係る管理プログラムは、管理装置において用いられる管理プログラムであって、コンピュータに、センサによる計測結果を示すセンサ情報を取得するステップと、取得した前記センサ情報、および前記センサ情報に基づいて作成された管理情報の少なくともいずれか一方を表示する制御を行うステップと、広告を表示する制御を行うステップとを実行させるためのプログラムである。
【００４０】
このような構成により、たとえば、商品またはサービスの広告を管理情報等とともに表示することができるため、管理情報等を確認するユーザに、たとえば利便性の高い商品またはサービスの広告を提示することができる。したがって、センサによる計測結果を収集し、収集した計測結果に基づいて管理対象を管理する構成において、より優れたサービスを提供することができる。
【００４１】
（１３）本発明の実施の形態に係る管理プログラムは、センサと、管理装置とを備える管理システムにおいて用いられる管理プログラムであって、コンピュータに、前記センサによる計測結果を示すセンサ情報を送信するステップと、前記管理装置が、前記センサ情報を受信するステップと、前記管理装置が、受信した前記センサ情報、および前記センサ情報に基づいて作成された管理情報の少なくともいずれか一方を表示する制御を行うステップと、前記管理装置が、記憶装置から広告情報を取得するステップと、前記管理装置が、前記記憶装置から取得した前記広告情報の示す広告を表示する制御を行うステップとを実行させるためのプログラムである。
【００４２】
このような構成により、たとえば、商品またはサービスの広告を管理情報等とともに表示することができるため、管理情報等を確認するユーザに、たとえば利便性の高い商品またはサービスの広告を提示することができる。したがって、センサによる計測結果を収集し、収集した計測結果に基づいて管理対象を管理する構成において、より優れたサービスを提供することができる。
【００４３】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００４４】
＜第１の実施の形態＞
［システム］
図１は、本発明の第１の実施の形態に係る管理システムの構成を示す図である。
【００４５】
図１を参照して、管理システム１０１は、計測装置１０Ａ〜１０Ｃと、基地局１２と、広告ＤＢ（Ｄａｔａｂａｓｅ）１４と、管理装置１５と、端末装置１６と、取得情報ＤＢ（記憶装置）１７とを備える。計測装置１０Ａ〜１０Ｃは、センサ１１Ａ〜１１Ｃをそれぞれ含む。以下、計測装置１０Ａ〜１０Ｃの各々を計測装置１０とも称し、センサ１１Ａ〜１１Ｃの各々をセンサ１１とも称する。
【００４６】
なお、管理システム１０１は、３つの計測装置１０Ａ〜１０Ｃを備える構成に限らず、１つまたは２つの計測装置１０を備える構成であってもよいし、４つ以上の計測装置１０を備える構成であってもよい。
【００４７】
また、管理システム１０１は、１または複数の計測装置１０、および基地局１２の組を複数備える構成であってもよい。
【００４８】
計測装置１０および基地局１２は、たとえば企業の施設におけるサーバールームに設置される。計測装置１０は、たとえば温湿度センサであるセンサ１１を用いて、自己の設置されたサーバールームにおける温度および湿度を計測し、計測結果を示すセンサ情報を無線信号に含めて基地局１２へ送信する。また、計測装置１０は、たとえば電池を含み、当該電池の出力電力を用いて動作する。
【００４９】
計測装置１０および基地局１２間の通信は、Ｗｉ−Ｆｉ、ＺｉｇＢｅｅ（登録商標）またはＢｌｕｅｔｏｏｔｈ（登録商標）等の通信規格に従って行われる。計測装置１０は、たとえば１分ごとにセンサ１１による計測結果を基地局１２へ送信する。
【００５０】
なお、計測装置１０および基地局１２は、工場、住宅または病院等に設置されてもよい。また、センサ１１は、電力量センサ、照度センサ、一酸化炭素濃度センサ、二酸化炭素濃度センサまたは加速度センサ等であってもよい。また、計測装置１０は、複数のセンサ１１を備えてもよい。
【００５１】
基地局１２は、各計測装置１０から無線信号を受信し、受信した無線信号に含まれるセンサ情報をイントラネットまたはインターネット等のネットワーク１３経由で管理装置１５へ送信する。
【００５２】
基地局１２は、たとえば、センサ情報を管理装置１５へ送信する際、センサ情報にタイムスタンプ等の時刻情報を付加して送信する。なお、基地局１２は、センサ情報を管理装置１５へ送信する際、センサ情報の送信元である計測装置１０との通信品質を示す通信品質情報、具体的にはＬＱＩ（Ｌｉｎｋ  Ｑｕａｌｉｔｙ  Ｉｎｄｉｃａｔｉｏｎ）等を付加して送信してもよい。ここで、ＬＱＩは、たとえば値が大きいほど良好な品質であることを示す。なお、計測装置１０と基地局１２とは、無線接続される構成に限らず、有線接続される構成であってもよい。
【００５３】
管理装置１５および取得情報ＤＢ１７は、たとえば、計測装置１０および基地局１２の設置された施設に設置される。なお、管理装置１５および取得情報ＤＢ１７は、たとえば、管理システム１０１に関するサービスを提供する事業者（以下、システム関連業者とも称する。）の施設に設置されてもよい。
【００５４】
管理装置１５は、基地局１２から送信されたセンサ情報をネットワーク１３経由で受信し、受信したセンサ情報を取得情報ＤＢ１７へ送信して取得情報ＤＢ１７に保存する。
【００５５】
管理装置１５と取得情報ＤＢ１７とは、直接接続される構成に限らず、他の装置を介して接続されてもよい。たとえば、管理装置１５と取得情報ＤＢ１７とは、ネットワーク１３または他のネットワークを介して接続されてもよい。
【００５６】
また、管理装置１５は、たとえば取得情報ＤＢ１７に保存されたセンサ情報に基づいて、管理対象たとえばサーバールームを管理するための管理情報を作成する。管理情報は、たとえば、同じ種類のセンサ情報を時系列にまとめたグラフまたはテーブルを示す情報である。
【００５７】
なお、管理情報は、たとえば、センサ情報に対して何らかの演算等が行われたデータであってもよいし、センサ情報から抽出したセンサ情報の一部であってもよい。また、管理情報には、センサ情報とは異なる種類の情報が含まれていても良い。
【００５８】
管理装置１５は、管理情報を表示する制御を行う。具体的には、たとえば、管理装置１５は、管理情報を端末装置１６へ送信することにより、端末装置１６に管理情報を表示させる。
【００５９】
端末装置１６は、たとえばパソコンまたはタブレットであり、管理装置１５から受信した管理情報の内容を自己の画面に表示する。具体的には、たとえば、端末装置１６は、ＧＵＩ（Ｇｒａｐｈｉｃａｌ  Ｕｓｅｒ  Ｉｎｔｅｒｆａｃｅ）を有し、管理情報の内容をユーザが良好に認識できるような表示を行う。
【００６０】
ユーザは、端末装置１６の画面に表示される内容に関する操作を行うことが可能である。たとえば、ユーザは、端末装置１６の画面に新たに表示させたい内容がある場合に、画面に表示された、当該内容に対応するボタンをクリックする。ユーザが画面上のボタンをクリックすると、端末装置１６は、どのボタンがクリックされたかを示す操作情報を作成し、管理装置１５へ送信する。なお、端末装置１６は、管理装置１５への要求内容を示す情報を操作情報として管理装置１５へ送信してもよい。
【００６１】
管理装置１５は、端末装置１６から受信した操作情報、および取得情報ＤＢ１７に保存されたセンサ情報に基づいて管理情報を作成し、端末装置１６へ送信する。ここでは、管理情報は、たとえばユーザが端末装置１６の画面に表示させたい内容を示す。
【００６２】
端末装置１６は、管理装置１５から受信した管理情報を自己の画面に表示する。このようにして、ユーザは、たとえば、端末装置１６の表示内容を、温度を示すグラフから湿度を示すグラフへ切り替えることができる。
【００６３】
なお、管理装置１５と端末装置１６とは、直接接続される構成に限らず、他の装置を介して接続されてもよい。具体的には、たとえば、管理装置１５と端末装置１６とは、ネットワーク１３または他のネットワークを介して接続されてもよい。
【００６４】
また、管理装置１５に１つの端末装置１６が接続される構成に限らず、複数の端末装置１６が接続される構成であってもよい。
【００６５】
広告ＤＢ１４は、たとえば、システム関連業者の施設に設置され、広告ＤＢ１４には、システム関連業者を含む複数の組織または個人の広告を示す広告情報が保存されている。
【００６６】
管理装置１５は、広告ＤＢ１４からネットワーク１３経由で広告情報を取得して、取得した広告情報の内容を端末装置１６の画面に表示する制御を行う。具体的には、管理装置１５は、広告情報を端末装置１６へ送信し、端末装置１６に広告を表示させる。
【００６７】
ここで、管理装置１５は、広告ＤＢ１４から広告情報を取得する際、特定の組織または個人の広告を示す広告情報を選択し、選択した広告情報を取得する。
【００６８】
具体的には、たとえば、管理装置１５は、システム関連業者の広告を示す広告情報、および、システム関連業者と契約を結んだ他の事業者の広告を示す広告情報等を取得する。システム関連業者は、自己と契約を結んだ事業者の広告を端末装置１６に表示させることにより、当該事業者から広告収入を得ることができる。
【００６９】
なお、管理装置１５は、サーバに限らず、たとえばパソコンまたはタブレットであってもよく、また、画面を備えていてもよい。この場合、管理装置１５は、自己の画面に管理情報および広告を表示する制御を行う。
【００７０】
また、管理装置１５と広告ＤＢ１４とは、ネットワーク１３を介して接続される構成に限らず、たとえば直接接続されてもよい。また、管理装置１５は、取得情報ＤＢ１７および広告ＤＢ１４のいずれか一方または両方を含んでもよい。
【００７１】
また、管理装置１５は、たとえば、センサ情報に基づいて、管理対象に異常が発生したと判断した場合に、管理装置１５の管理者またはユーザに対してメール等を用いて通報することができる。
【００７２】
［センサ情報に基づく広告表示］
図２は、本発明の第１の実施の形態に係る管理システムにおいて、管理情報の表示された画面を示す図である。
【００７３】
図２を参照して、たとえば端末装置１６の画面には、グラフ部ＧＤと、ボタン部ＢＯと、ポインタＰとが表示されている。
【００７４】
グラフ部ＧＤには、グラフが表示されている。この例では、グラフ部ＧＤには、センサ１１Ｂによる計測結果を示すセンサ情報に基づいて作成された、計測装置１０Ｂの設置場所における温度の時間変化を示すグラフＧ１が表示されている。
【００７５】
グラフＧ１は、ポイントｋを順番に接続して描画されている。ポイントｋは、たとえば管理装置１５が計測装置１０から１分周期で受信するセンサ情報に基づいてプロットされる。
【００７６】
グラフＧ１は、時刻ｔ１から時刻ｔ２までの間、計測装置１０Ｂの設置場所における温度が閾値Ａｔｈ以下であって、かつ閾値Ｂｔｈ以上であったことを示している。ここで、時刻ｔ２におけるポイントｋは、たとえば、当該画面が表示された時刻における最新のセンサ情報に基づいてプロットされたポイントｋである。
【００７７】
管理装置１５は、たとえば、端末装置１６に表示される画面の内容が最新の計測結果を示すように定期的または不定期に端末装置１６へ管理情報を送信する。端末装置１６は、管理装置１５から新たな管理情報を受信すると画面の表示を更新する。
【００７８】
ボタン部ＢＯには、グラフ部ＧＤに表示する内容を切り替え可能な各種のボタンが表示されている。
【００７９】
たとえば、ユーザは、画面上のボタンである「温度」または「湿度」をポインタＰを用いてクリックすることにより、表示させる計測結果の種類を選択することができる。また、ユーザは、ボタンである「センサ１１Ａ」、「センサ１１Ｂ」または「センサ１１Ｃ」のいずれかをクリックすることによって、センサ１１Ａ〜１１Ｃのうち、どのセンサ１１の計測結果を表示させるかを選択することができる。画面は、「温度」および「センサ１１Ｂ」が選択された状態であることを示している。
【００８０】
図３は、本発明の第１の実施の形態に係る管理システムにおいて、管理情報および広告情報の表示された画面の一例を示す図である。
【００８１】
図３は、端末装置１６の画面に図２に示す内容が表示された時刻からある時間経過した後の時刻における端末装置１６の画面を示している。図３を参照して、画面には、グラフ部ＧＤと、ボタン部ＢＯと、広告部ＡＤと、ポインタＰとが表示されている。
【００８２】
グラフ部ＧＤに表示されたグラフＧ２は、時刻ｔ３から時刻ｔ４までの間において、計測装置１０Ｂの設置場所における温度が閾値Ａｔｈより高くなっていることを示している。時刻ｔ４におけるポイントｋは、たとえば、当該画面が表示された時刻における最新のセンサ情報に基づいてプロットされたポイントｋである。
【００８３】
広告部ＡＤは、たとえば、計測装置１０Ｂの設置場所における温度が閾値Ａｔｈより高くなったことをトリガとして表示される。具体的には、管理装置１５が、計測装置１０から受信するセンサ情報に基づいて、計測装置１０Ｂの設置場所における温度が閾値Ａｔｈより高くなったと認識した場合に、広告ＤＢ１４から広告情報を取得して、当該広告情報の示す広告を端末装置１６の画面に表示する制御を行う。
【００８４】
ここで、広告部ＡＤに表示される広告は、センサ情報に基づく広告、たとえば、計測装置１０Ｂの設置場所における空調設備等のメンテナンス業者、計測装置１０Ｂの設置された施設等の管理業者および緊急の場合に対応可能なサービス業者等の広告である。
【００８５】
また、広告部ＡＤに表示される広告は、より適切な計測範囲を有するセンサ、たとえばより高い温度まで正確に計測可能な温湿度センサ等の広告であってもよいし、空調機器等の広告であってもよい。
【００８６】
また、広告部ＡＤに表示される広告は、たとえばセンサ１１Ｂが定期的または不定期にキャリブレーションを必要とするセンサである場合、キャリブレーションに用いる機器等の広告であってもよいし、たとえばセンサ１１Ｂが経年劣化しやすいセンサである場合、センサ１１Ｂと同じ種類のセンサの広告であってもよい。
【００８７】
また、広告部ＡＤに表示される広告は、たとえば、計測装置１０Ｂの設置場所における温度が閾値Ａｔｈより低く、かつ閾値Ｂｔｈより高い温度範囲において長期間安定している場合、当該温度範囲における温度をより高い精度で計測することが可能な温湿度センサの広告であってもよい。
【００８８】
なお、広告部ＡＤには、商品等の広告とともに、ウェブサイトへのハイパーリンクが設定されたＵＲＬ等が表示されてもよい。
【００８９】
［ユーザの操作に基づく広告表示］
図４は、本発明の第１の実施の形態に係る管理システムにおいて、管理情報および広告情報の表示された画面の他の例を示す図である。
【００９０】
図４を参照して、たとえば端末装置１６の画面には、グラフ部ＧＤと、ボタン部ＢＯと、広告部ＡＤと、ポインタＰとが表示されている。
【００９１】
この例では、管理情報の表示に関するユーザの操作に基づいて広告部ＡＤが表示される。具体的には、たとえば、管理装置１５は、端末装置１６における画面上の各ボタンがユーザによってクリックされた回数を、ボタンごとにカウントする。
【００９２】
そして、管理装置１５は、あるボタンについてのカウント値が所定値を上回った場合に、広告部ＡＤを表示する。
【００９３】
ここでは、広告部ＡＤには、ユーザの操作に基づく広告が表示される。たとえば、ユーザが画面上のボタンである「温度」をクリックした回数が所定値を上回った場合、管理装置１５は、広告ＤＢ１４に保存されている広告情報のうち、たとえば高精度に温度を計測可能な温湿度センサの広告を示す広告情報を取得する。
【００９４】
［通信品質に基づく広告表示］
図５は、本発明の第１の実施の形態に係る管理システムにおいて、管理情報の表示された画面の他の例を示す図である。
【００９５】
図５を参照して、たとえば端末装置１６の画面には、グラフ部ＧＤと、ボタン部ＢＯと、ポインタＰとが表示されている。
【００９６】
たとえば、計測装置１０が周期的にセンサ情報を送信する場合において、管理装置１５は、計測装置１０からセンサ情報を周期的に受信して、ポイントｋが等間隔でプロットされたグラフを端末装置１６の画面に表示する制御を行う。
【００９７】
この例では、計測装置１０が周期的にセンサ情報を送信しているにも関わらず、ポイントｋを等間隔でプロットすることができなかった場合が示されている。このような場合、原因として、計測装置１０および管理装置１５間の通信品質が低下していることが考えられる。具体的には、他の電波の干渉、マルチパスフェージング、および計測装置１０における電池電圧の低下による信号成分の低下等によって、通信品質が低下したと考えられる。
【００９８】
図６は、本発明の第１の実施の形態に係る管理システムにおいて、管理情報および広告情報の表示された画面の他の例を示す図である。
【００９９】
図６は、端末装置１６の画面に図５に示す内容が表示された時刻からある時間経過した後の時刻における端末装置１６の画面を示している。図６を参照して、画面には、グラフ部ＧＤと、ボタン部ＢＯと、広告部ＡＤと、ポインタＰとが表示されている。
【０１００】
広告部ＡＤは、たとえば、計測装置１０および管理装置１５間の通信品質が所定時間悪い状態であったと管理装置１５に判断された場合に表示される。
【０１０１】
具体的には、たとえば、計測装置１０が周期的にセンサ情報を送信しているにも関わらず、管理装置１５が周期的にセンサ情報を受信できない状態が所定時間継続した場合に、管理装置１５は、センサ情報の通信品質が悪いと判断する。そして、管理装置１５は、広告ＤＢ１４から広告情報を取得して、当該広告情報の示す広告を端末装置１６の画面に表示する制御を行う。
【０１０２】
ここで、広告部ＡＤに表示される広告は、センサ情報の通信品質に基づく広告である。具体的には、たとえば、当該広告は、通信品質を改善するために用いられる商品またはサービスの広告であり、たとえば基地局１２として使用可能な、ダイバーシティアンテナを備えたアクセスポイントの広告、または基地局１２として使用可能な受信感度を高めたアクセスポイントの広告である。
【０１０３】
なお、広告部ＡＤに表示される広告は、既に基地局１２として使用しているアクセスポイントの広告であってもよい。たとえば、新たな基地局１２を既存の基地局１２に併設することにより空間ダイバーシティの効果を得ることができる。
【０１０４】
［広告の単独表示］
図７は、本発明の第１の実施の形態に係る管理システムにおいて、広告情報の表示された画面の一例を示す図である。
【０１０５】
図７を参照して、たとえば端末装置１６の画面には、広告部ＡＤと、ポインタＰと、ボタンＢＴとが表示されている。この例では、たとえば図３に示すグラフ部ＧＤおよびボタン部ＢＯは表示されていない。
【０１０６】
管理装置１５は、たとえば、ユーザに強く印象付けたい広告たとえばシステム関連業者から販売される新製品についての広告を、管理情報の内容を表示していない状態において端末装置１６の画面に表示する制御を行うことができる。
【０１０７】
なお、管理装置１５は、たとえば、基地局１２において用いられるソフトウェアのアップデートに関する情報を広告部ＡＤに表示する制御を行ってもよいし、また、システム関連業者が自社の商品を展示会に出品する旨の案内等を広告部ＡＤに表示する制御を行ってもよい。
【０１０８】
管理装置１５は、たとえば、ユーザがポインタＰを用いてボタンＢＴをクリックすると、図４に示すように、管理情報および広告情報を１つの画面に表示させる。なお、管理装置１５は、たとえば、図７に示すような画面を所定時間表示し、その後、たとえば図４に示すような画面を表示する制御を行ってもよい。
【０１０９】
［計測装置の構成および基本動作］
図８は、本発明の第１の実施の形態に係る管理システムにおける計測装置の構成を示す図である。
【０１１０】
図８を参照して、計測装置１０は、センサ１１と、電池部４１と、処理部４２と、送信部４３とを含む。
【０１１１】
センサ１１は、たとえば、温湿度センサであり、自己の周囲の温度および湿度を計測し、計測結果を示すセンサ情報を処理部４２へ出力する。
【０１１２】
なお、計測装置１０は複数のセンサ１１を含んでもよい。この場合、計測装置１０に含まれる各センサ１１は異なる種類であってもよい。具体的には、たとえば、計測装置１０は、センサ１１として、温湿度センサおよび照度センサを含んでもよい。
【０１１３】
処理部４２は、センサ１１から受けたセンサ情報および自己の計測装置１０のＩＤ等を、所定の通信規格に従うフレームフォーマットのパケットに含めて送信部４３へ出力する。
【０１１４】
送信部４３は、処理部４２から受けたパケットを無線信号に変換して基地局１２およびネットワーク１３経由で管理装置１５へ送信する。電池部４１は、計測装置１０における他の回路へ電力を供給する。
【０１１５】
［管理装置の構成および基本動作］
図９は、本発明の第１の実施の形態に係る管理装置の構成を示す図である。
【０１１６】
図９を参照して、管理装置１５は、取得部２１と、処理部２２と、表示制御部２３と、広告判断部２４とを含む。
【０１１７】
取得部２１は、センサ１１による計測結果を示すセンサ情報を取得する。具体的には、取得部２１は、計測装置１０から送信されたセンサ情報を基地局１２およびネットワーク１３経由で受信し、受信したセンサ情報を処理部２２および広告判断部２４へ出力する。
【０１１８】
また、取得部２１は、端末装置１６から操作情報を受信して、受信した操作情報を処理部２２および広告判断部２４へ出力する。
【０１１９】
処理部２２は、取得部２１から受けたセンサ情報を取得情報ＤＢ１７へ送信して取得情報ＤＢ１７に保存する。また、処理部２２は、たとえば、取得情報ＤＢ１７からセンサ情報を取得し、取得したセンサ情報に基づいて管理情報を作成し、表示制御部２３および広告判断部２４へ出力する。
【０１２０】
また、処理部２２は、取得部２１から操作情報を受けた場合、当該操作情報およびセンサ情報に基づいて管理情報を作成し、表示制御部２３へ出力する。
【０１２１】
表示制御部２３は、処理部２２から管理情報を受けて、当該管理情報をたとえば端末装置１６の画面に表示する制御を行う。具体的には、表示制御部２３は、管理情報を端末装置１６へ送信して端末装置１６に管理情報を表示させる。
【０１２２】
（センサ情報に基づく広告表示）
広告判断部２４は、センサ情報または管理情報に基づいて、広告ＤＢ１４からネットワーク１３経由で広告情報を取得し、取得した広告情報を表示制御部２３へ出力する。具体的には、広告判断部２４は、図３に示す場合のように、たとえば計測装置１０Ｂの設置場所における温度が閾値Ａｔｈより高くなった場合に、広告ＤＢ１４から広告情報を取得して表示制御部２３へ出力する。
【０１２３】
なお、広告判断部２４は、たとえば計測装置１０Ｂの設置場所における温度が所定時間連続して閾値Ａｔｈより高くなった場合に広告情報を取得してもよい。また、広告判断部２４は、取得部２１によって周期的に受信された各センサ情報の示す温度が所定回数連続して閾値Ａｔｈより高くなった場合に広告情報を取得してもよい。
【０１２４】
また、管理装置１５は、たとえば、計測装置１０Ｂの設置場所における温度が閾値Ｂｔｈより低くなった場合に広告情報を取得してもよい。
【０１２５】
ここで、広告判断部２４が取得する広告情報は、センサ情報または管理情報に基づく広告を示す広告情報である。たとえば、広告判断部２４には、センサ情報の示す値が所定の閾値を超えた場合に取得すべき広告の種類が予め登録されている。広告判断部２４は、広告ＤＢ１４に保存されている広告情報の中から、取得すべき種類の広告を示す広告情報を選択し、選択した広告情報を取得する。
【０１２６】
広告判断部２４は、たとえば、広告ＤＢ１４に保存された広告のリストを有しており、広告ＤＢ１４から取得する広告情報を選択する際、当該リストを用いて広告情報を選択する。
【０１２７】
なお、広告判断部２４には、センサ情報の示す値が所定の閾値を超えた場合に取得すべき広告の種類が登録されている構成に限らず、センサ情報の内容が所定の条件を満たした場合に取得すべき広告の種類が登録されている構成であればよい。たとえば、広告判断部２４には、センサ情報の示す値が長時間安定している場合に取得すべき広告の種類が登録されていてもよい。
【０１２８】
また、広告判断部２４には、管理情報の内容が所定の条件を満たした場合に取得すべき広告の種類が登録されている構成であってもよい。たとえば、広告判断部２４には、複数のタイミングで取得されたセンサ情報の示す値の平均値または分散等が所定の閾値を超えた場合に取得すべき広告の種類が登録されていてもよい。
【０１２９】
広告判断部２４が取得する広告情報は、たとえば、特定の組織または個人の広告を示す広告情報である。具体的には、たとえば、広告判断部２４は、広告ＤＢ１４から広告情報を取得する際、システム関連業者の広告を示す広告情報、または、システム関連業者と契約を結んだ他の事業者の広告を示す広告情報等を選択して取得する。
【０１３０】
ここでは、表示制御部２３は、センサ情報または管理情報に基づく広告を表示する制御を行う。具体的には、表示制御部２３は、広告判断部２４から受けた広告情報を端末装置１６へ送信することにより、広告を端末装置１６の画面に表示させる。
【０１３１】
表示制御部２３が、端末装置１６の画面に表示させる広告は、たとえば、広告判断部２４によって選択された特定の組織または個人の広告である。つまり、表示制御部２３は、選択された特定の組織または個人の広告を端末装置１６の画面に表示する制御を行う。
【０１３２】
また、表示制御部２３は、たとえば、図３に示すように、管理情報および広告情報を端末装置１６の１つの画面に表示する制御を行う。具体的には、表示制御部２３は、管理情報の表示されるグラフ部ＧＤおよびボタン部ＢＯと、広告情報の表示される広告部ＡＤとを同じ画面に表示させる。
【０１３３】
（ユーザの操作に基づく広告表示）
また、広告判断部２４は、たとえば、管理情報の表示に関するユーザの操作に基づいて、広告ＤＢ１４からネットワーク１３経由で広告情報を取得し、取得した広告情報を表示制御部２３へ出力する。
【０１３４】
具体的には、たとえば、広告判断部２４は、取得部２１から受けた操作情報に基づいて、端末装置１６の画面上の各ボタンがユーザによってクリックされた回数を、ボタンごとにカウントする。
【０１３５】
広告判断部２４は、あるボタンについてのカウント値が所定値を上回った場合に、広告ＤＢ１４から広告情報を取得して表示制御部２３へ出力する。
【０１３６】
なお、広告判断部２４は、ボタンがクリックされた回数のカウント値に基づいて広告情報を取得する構成に限らず、たとえば、各ボタンのクリックされた頻度、順番または時間帯に基づいて広告情報を取得する構成であってもよい。
【０１３７】
ここで、広告判断部２４が広告ＤＢ１４から取得する広告情報は、ユーザの操作に基づく広告を示す広告情報である。たとえば、広告判断部２４は、端末装置１６における画面上の各ボタンと、広告ＤＢ１４から取得すべき広告の種類とを対応付けるための情報を記憶している。広告判断部２４は、あるボタンについてのカウント値が所定値を上回った場合に、広告ＤＢ１４に保存された広告情報のうち、当該ボタンに対応付けられた種類の広告を示す広告情報を選択し、選択した広告情報を広告ＤＢ１４から取得する。
【０１３８】
なお、広告判断部２４は、あるボタンについてのカウント値が所定値を上回った場合に、当該ボタンに表記された文字列たとえば図３のボタン部ＢＯにおける文字列「温度」と同じ文字列を含む広告情報を選択し、選択した広告情報を広告ＤＢ１４から取得してもよい。
【０１３９】
ここでは、表示制御部２３は、管理情報の表示に関するユーザの操作に基づく広告を表示する制御を行う。具体的には、表示制御部２３は、広告判断部２４から受けた広告情報を端末装置１６へ送信することにより、端末装置１６に広告を表示させる。
【０１４０】
（通信品質に基づく広告表示）
また、広告判断部２４は、たとえば、センサ情報の通信品質に基づいて、広告ＤＢ１４からネットワーク１３経由で広告情報を取得し、取得した広告情報を表示制御部２３へ出力する。
【０１４１】
具体的には、たとえば、図６に示す場合のように、計測装置１０が周期的にセンサ情報を送信しているにも関わらす、取得部２１が周期的にセンサ情報を受信できない状態が所定時間継続した場合に、広告判断部２４は、通信品質が悪いと判断し、広告ＤＢ１４から広告情報を取得する。
【０１４２】
なお、広告判断部２４は、たとえば、基地局１２においてセンサ情報に付加されたＬＱＩを用いてセンサ情報の通信品質を判断してもよい。
【０１４３】
ここで、広告判断部２４が取得する広告情報は、たとえば、センサ情報の通信品質に基づく広告を示す広告情報である。たとえば、広告判断部２４には、通信品質が悪い場合に取得すべき広告の種類が予め登録されている。広告判断部２４は、広告ＤＢ１４に保存されている広告情報の中から、取得すべき種類の広告を示す広告情報を選択し、選択した広告情報を取得する。
【０１４４】
ここでは、表示制御部２３は、たとえば、センサ情報の通信品質に基づく広告を表示する。具体的には、表示制御部２３は、広告判断部２４から受けた広告情報を端末装置１６に送信することにより、端末装置１６に広告を表示させる。
【０１４５】
（広告の単独表示）
また、広告判断部２４は、たとえば、ユーザに強く印象付けたい広告たとえばシステム関連業者等から販売される新製品についての広告を示す広告情報を広告ＤＢ１４から取得し、表示制御部２３へ出力する。
【０１４６】
このとき、広告判断部２４は、たとえば、取得した広告情報に、単独表示指示を付加して表示制御部２３へ出力する。単独表示指示は、たとえば、管理情報が端末装置１６の画面に表示されていない状態で当該画面に広告情報の示す広告を表示させるための指示である。
【０１４７】
表示制御部２３は、たとえば、広告判断部２４から単独表示指示の付加された広告情報を受けると、端末装置１６に管理情報を表示していないときに広告を表示する制御を行う。具体的には、たとえば、表示制御部２３は、単独表示指示の付加された広告情報を受けると、図７に示すように、端末装置１６の画面に管理情報の表示されていない状態において広告を表示させる。
【０１４８】
［動作］
次に、本発明の第１の実施の形態に係る管理システムが広告を表示する際の動作を説明する。
【０１４９】
管理システムにおける各装置は、コンピュータを備え、当該コンピュータにおけるＣＰＵ等の演算処理部は、以下のフローチャートおよびシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１５０】
（センサ情報に基づく広告表示）
図１０は、本発明の第１の実施の形態に係る管理システムが広告を表示する際のシーケンスの一例を示す図である。
【０１５１】
図１０を参照して、まず、計測装置１０は、センサ１１によりたとえば周期的に計測を行い（ステップＳ１２）、最新の計測結果を示すセンサ情報を管理装置１５へ送信する（ステップＳ１３）。
【０１５２】
次に、管理装置１５は、計測装置１０からセンサ情報を受信して、受信したセンサ情報を取得情報ＤＢ１７へ送信して保存する（ステップＳ１４）。
【０１５３】
次に、管理装置１５は、たとえば取得情報ＤＢ１７に保存したセンサ情報に基づいて管理情報を作成する（ステップＳ１５）。
【０１５４】
次に、管理装置１５は、管理情報を端末装置１６に表示する制御を行う。具体的には、管理装置１５は、管理情報を端末装置１６へ送信する（ステップＳ１６）。
【０１５５】
次に、端末装置１６は、管理装置１５から管理情報を受信して、受信した管理情報を自己の画面に表示する（ステップＳ１７）。
【０１５６】
次に、管理装置１５は、センサ情報または管理情報に基づいて、広告ＤＢ１４に保存された広告情報のうち、取得すべき種類の広告を示す広告情報を選択する（ステップＳ１８）。そして、管理装置１５は、選択した広告情報の送信を要求するための要求情報を作成し（ステップＳ１９）、作成した要求情報を広告ＤＢ１４へ送信する（ステップＳ２０）。
【０１５７】
次に、広告ＤＢ１４は、管理装置１５から要求情報を受信し、受信した要求情報に基づいて、広告情報を管理装置１５へ送信する（ステップＳ２１）。
【０１５８】
次に、管理装置１５は、広告ＤＢ１４から広告情報を受信して、受信した広告情報の示す広告すなわちセンサ情報または管理情報に基づく広告を端末装置１６の画面に表示する制御を行う。具体的には、管理装置１５は、受信した広告情報を端末装置１６へ送信する（ステップＳ２２）。
【０１５９】
次に、端末装置１６は、管理装置１５から広告情報を受信して、受信した広告情報の示す広告を自己の画面に表示する（ステップＳ２３）。
【０１６０】
（ユーザの操作に基づく広告表示）
図１１は、本発明の第１の実施の形態に係る管理システムが広告を表示する際のシーケンスの他の例を示す図である。
【０１６１】
図１１を参照して、ステップＳ４２〜Ｓ４７の動作は、図１０に示すＳ１２〜Ｓ１７の動作とそれぞれ同様である。
【０１６２】
次に、端末装置１６は、管理情報の表示に関するユーザの操作を受けると（ステップＳ４８）、当該操作に基づいて操作情報を作成し（ステップＳ４９）、作成した操作情報を管理装置１５へ送信する（ステップＳ５０）。
【０１６３】
次に、管理装置１５は、端末装置１６から操作情報を受信して、受信した操作情報、および取得情報ＤＢ１７に保存したセンサ情報に基づいて管理情報を作成し（ステップＳ５１）、作成した管理情報を端末装置１６へ送信する（ステップＳ５２）。
【０１６４】
次に、端末装置１６は、管理装置１５から管理情報を受信して、受信した管理情報を自己の画面に表示する（ステップＳ５３）。
【０１６５】
次に、管理装置１５は、操作情報に基づいて、広告ＤＢ１４に保存された広告情報のうち、取得すべき種類の広告を示す広告情報を選択する（ステップＳ５４）。そして、管理装置１５は、選択した広告情報の送信を要求するための要求情報を作成し（ステップＳ５５）、作成した要求情報を広告ＤＢ１４へ送信する（ステップＳ５６）。
【０１６６】
次に、広告ＤＢ１４は、管理装置１５から要求情報を受信し、受信した要求情報に基づいて、広告情報を管理装置１５へ送信する（ステップＳ５７）。
【０１６７】
次に、管理装置１５は、広告ＤＢ１４から広告情報を受信して、受信した広告情報の示す広告、すなわち管理情報の表示に関するユーザの操作に基づく広告を端末装置１６の画面に表示する制御を行う。具体的には、管理装置１５は、取得した広告情報を端末装置１６に送信する（ステップＳ５８）。
【０１６８】
次に、端末装置１６は、管理装置１５から広告情報を受信して、受信した広告情報の示す広告を自己の画面に表示する（ステップＳ５９）。
【０１６９】
（通信品質に基づく広告表示）
図１２は、本発明の第１の実施の形態に係る管理システムが広告を表示する際のシーケンスの他の例を示す図である。
【０１７０】
図１２を参照して、ステップＳ７２〜Ｓ７７の動作は、図１０に示すＳ１２〜Ｓ１７の動作とそれぞれ同様である。
【０１７１】
次に、管理装置１５は、センサ情報の通信品質に基づいて、広告ＤＢ１４に保存された広告情報のうち、取得すべき種類の広告を示す広告情報を選択する（ステップＳ７８）。そして、管理装置１５は、選択した広告情報の送信を要求するための要求情報を作成し（ステップＳ７９）、作成した要求情報を広告ＤＢ１４へ送信する（ステップＳ８０）。
【０１７２】
次に、広告ＤＢ１４は、管理装置１５から要求情報を受信し、受信した要求情報に基づいて、広告情報を管理装置１５へ送信する（ステップＳ８１）。
【０１７３】
次に、管理装置１５は、広告ＤＢ１４から広告情報を受信して、受信した広告情報の示す広告、すなわちセンサ情報の通信品質に基づく広告を端末装置１６の画面に表示する制御を行う。具体的には、管理装置１５は、取得した広告情報を端末装置１６に送信する（ステップＳ８２）。
【０１７４】
次に、端末装置１６は、管理装置１５から広告情報を受信して、受信した広告情報を自己の画面に表示する（ステップＳ８３）。
【０１７５】
なお、本発明の第１の実施の形態に係る管理システムでは、管理装置１５は、管理情報を表示する制御を行う構成としたが、これに限定するものではなく、センサ情報を表示する制御を行う構成であってもよいし、管理情報およびセンサ情報の両方を表示する制御を行う構成であってもよい。
【０１７６】
具体的には、管理装置１５における処理部２２は、取得部２１から取得したセンサ情報、およびセンサ情報に基づいて作成した管理情報の少なくともいずれか一方を表示制御部２３へ送信する。
【０１７７】
表示制御部２３は、処理部２２から受けたセンサ情報および管理情報の少なくともいずれか一方を、たとえば端末装置１６の画面に表示する制御を行う。
【０１７８】
また、本発明の第１の実施の形態に係る管理システムでは、管理装置１５が広告判断部２４を含む構成としたが、これに限定するものではない。
【０１７９】
たとえば、広告判断部２４を含む装置が、管理装置１５の外部に設けられてもよい。この場合、たとえば、当該装置が端末装置１６に表示させる広告を選択する。当該装置と管理装置１５とは直接、またはネットワーク１３を介して接続される。
【０１８０】
また、本発明の第１の実施の形態に係る管理システムでは、管理装置１５が処理部２２を含む構成としたが、これに限定するものではない。
【０１８１】
たとえば、処理部２２を含む装置が、管理装置１５の外部に設けられてもよい。この場合、たとえば、当該装置がセンサ情報に基づいて管理情報を作成する。当該装置と管理装置１５とは直接、またはネットワーク１３を介して接続される。
【０１８２】
ところで、Ｍ２Ｍシステムの１つの利用形態として、センサ１１による計測結果を無線伝送することが可能な１または複数の計測装置を設置し、各計測装置から計測結果を収集し、収集した計測結果に基づいて管理対象を管理する管理システムが考えられる。このような利用形態において、より優れたサービスを提供する技術が望まれる。
【０１８３】
これに対して、本発明の第１の実施の形態に係る管理装置では、取得部２１は、センサ１１による計測結果を示すセンサ情報を取得する。表示制御部２３は、取得部２１によって取得されたセンサ情報、およびセンサ情報に基づいて作成された管理情報の少なくともいずれか一方を表示する制御を行う。そして、表示制御部２３は、広告を表示する制御を行うことが可能である。
【０１８４】
また、本発明の第１の実施の形態に係る管理システムでは、管理装置１５は、センサ１１による計測結果を示すセンサ情報を取得し、取得したセンサ情報、およびセンサ情報に基づいて作成された管理情報の少なくともいずれか一方を表示する制御を行う。そして、管理装置１５は、広告を表示する制御を行うことが可能である。
【０１８５】
具体的には、本発明の第１の実施の形態に係る管理システムでは、センサ１１による計測結果を示すセンサ情報を送信する。管理装置１５は、センサ情報を受信する。管理装置１５は、受信したセンサ情報、およびセンサ情報に基づいて作成された管理情報の少なくともいずれか一方を表示する制御を行う。また、管理装置１５は、記憶装置である広告ＤＢ１４から広告情報を取得する。そして、管理装置１５は、広告ＤＢ１４から取得した広告情報の示す広告を表示する制御を行う。
【０１８６】
このような構成により、たとえば、商品またはサービスの広告を管理情報等とともに表示することができるため、管理情報等を確認するユーザに、たとえば利便性の高い商品またはサービスの広告を提示することができる。
【０１８７】
したがって、本発明の第１の実施の形態に係る管理装置および管理システムでは、センサによる計測結果を収集し、収集した計測結果に基づいて管理対象を管理する構成において、より優れたサービスを提供することができる。
【０１８８】
また、本発明の第１の実施の形態に係る管理装置では、表示制御部２３は、センサ情報に基づく広告、具体的には、センサ情報そのものまたは管理情報に基づく広告を表示する制御を行うことが可能である。
【０１８９】
このような構成により、たとえば、センサ情報から管理対象に異常が発生したと判断できるような場合に、異常を解決するために用いられる商品またはサービスの広告をユーザに提示することにより、ユーザに異常への対処を促すことができ、また、提示した広告について高い効果を得ることができる。また、センサ情報から管理対象に異常が生じていないと判断できる場合に、たとえば、より適切に管理対象の管理を行うことが可能な商品またはサービスの広告をユーザに提示することもできる。
【０１９０】
また、本発明の第１の実施の形態に係る管理装置では、表示制御部２３は、センサ情報および管理情報の少なくともいずれか一方の表示に関するユーザの操作、に基づく広告を表示する制御を行うことが可能である。
【０１９１】
このような構成により、たとえば、ユーザの関心が高い事柄に関する商品またはサービスの広告をユーザに提示することができる。
【０１９２】
また、本発明の第１の実施の形態に係る管理装置では、表示制御部２３は、センサ情報の通信品質に基づく広告を表示する制御を行うことが可能である。
【０１９３】
このような構成により、たとえば、センサ情報の通信品質が悪い場合に、当該通信品質を改善することが可能な商品またはサービスの広告を提示することにより、ユーザに通信品質の改善を促すことができ、また、提示した広告について高い効果を得ることができる。
【０１９４】
また、本発明の第１の実施の形態に係る管理装置では、表示制御部２３は、特定の組織または個人の広告を表示する制御を行うことが可能である。
【０１９５】
このような構成により、たとえば、管理装置１５に関するサービスを提供する事業者が、自己の商品またはサービスの広告をユーザに提示することができる。また、当該事業者は、自己と契約を結んだ他の事業者の商品またはサービスの広告をユーザに提示した場合、当該他の事業者から広告収入を得ることができる。
【０１９６】
また、本発明の第１の実施の形態に係る管理装置では、表示制御部２３は、センサ情報および管理情報の少なくともいずれか一方と広告とを１つの画面に表示する制御を行うことが可能である。
【０１９７】
このような構成により、たとえば、管理情報等の表示された画面を確認したユーザに広告の内容を認識させることができる。
【０１９８】
また、本発明の第１の実施の形態に係る管理装置では、表示制御部２３は、管理情報を表示していないときに広告を表示する制御を行うことが可能である。
【０１９９】
このような構成により、たとえば広告を画面の全体に表示することができるため、広告の効果を高めることができる。
【０２００】
次に、本発明の他の実施の形態について図面を用いて説明する。なお、図中同一または相当部分には同一符号を付してその説明は繰り返さない。
【０２０１】
＜第２の実施の形態＞
本実施の形態は、第１の実施の形態に係る管理システムに比べて、複数の種類の情報に基づいて広告を選択する管理システムに関する。以下で説明する内容以外は第１の実施の形態に係る管理システムと同様である。
【０２０２】
［構成および基本動作］
図１３は、本発明の第２の実施の形態に係る管理システムの構成を示す図である。
【０２０３】
図１３を参照して、管理システム１０１は、計測装置１０Ａ〜１０Ｃと、基地局１２と、広告ＤＢ１４と、管理装置１５と、端末装置１６と、取得情報ＤＢ１７と、パブリックＤＢ１８と、プライベートＤＢ１９とを備える。
【０２０４】
パブリックＤＢ１８は、たとえば、システム関連業者の施設に設置され、一般に公開されている情報（以下、パブリック情報とも称する。）を記憶する。具体的には、パブリックＤＢ１８には、パブリック情報として、計測装置１０および基地局１２の設置された施設周辺の天気、気温、湿度および大気汚染物質の濃度等の環境に関する情報、ならびに、電力消費の削減要請および環境汚染の低減等の社会的要請に関する情報等が保存される。
【０２０５】
プライベートＤＢ１９は、たとえば、計測装置１０および基地局１２の設置された施設に設置され、当該施設に関する情報（以下、プライベート情報とも称する。）を記憶する。具体的には、プライベートＤＢ１９には、プライベート情報として、当該施設における製品の生産量、設備の稼働年数および設備の保全に関する情報等が保存される。なお、プライベート情報は、当該施設を運営する企業等に関する情報、および当該企業の取引先に関する情報等であってもよい。また、プライベートＤＢ１９は、たとえば、システム関連業者の施設に設置されてもよい。
【０２０６】
管理装置１５は、パブリックＤＢ１８からネットワーク１３経由でパブリック情報を取得する。たとえば、管理装置１５は、パブリックＤＢ１８から取得したパブリック情報、および計測装置１０からのセンサ情報に基づいて、広告ＤＢ１４からネットワーク１３経由で広告情報を取得する。
【０２０７】
そして、管理装置１５は、広告ＤＢ１４から取得した広告情報の内容を端末装置１６の画面に表示する制御を行う。具体的には、管理装置１５は、広告情報を端末装置１６へ送信し、端末装置１６に広告を表示させる。
【０２０８】
また、管理装置１５は、プライベートＤＢ１９からネットワーク１３経由でプライベート情報を取得する。たとえば、管理装置１５は、プライベートＤＢ１９から取得したプライベート情報、および計測装置１０からのセンサ情報に基づいて、広告ＤＢ１４からネットワーク１３経由で広告情報を取得する。
【０２０９】
そして、管理装置１５は、広告ＤＢ１４から取得した広告情報の内容を端末装置１６の画面に表示する制御を行う。具体的には、管理装置１５は、広告情報を端末装置１６へ送信し、端末装置１６に広告を表示させる。
【０２１０】
なお、管理装置１５とパブリックＤＢ１８とは、ネットワーク１３を介して接続される構成に限らず、直接接続される構成であってもよい。また、管理装置１５とプライベートＤＢ１９とは、ネットワーク１３を介して接続される構成に限らず、直接接続される構成であってもよい。
【０２１１】
図１４は、本発明の第２の実施の形態に係る管理装置の構成を示す図である。
【０２１２】
図１４を参照して、管理装置１５は、取得部２１と、処理部２２と、表示制御部２３と、広告判断部２４とを含む。
【０２１３】
広告判断部２４は、パブリックＤＢ１８からネットワーク１３経由でパブリック情報を取得する。また、広告判断部２４は、プライベートＤＢ１９からネットワーク１３経由でプライベート情報を取得する。
【０２１４】
広告判断部２４は、センサ情報または管理情報と、センサ情報および管理情報以外の他の情報とに基づいて、広告ＤＢ１４に保存されている広告情報の中から、取得すべき種類の広告を示す広告情報を選択する。そして、広告判断部２４は、選択した広告情報を広告ＤＢ１４から取得して表示制御部２３へ出力する。
【０２１５】
具体的には、たとえば、広告判断部２４には、センサ情報または管理情報の内容と、パブリック情報の内容とが所定の条件を満たした場合に取得すべき広告の種類が予め登録されている。そして、広告判断部２４は、センサ情報または管理情報とパブリック情報とに基づいて、広告ＤＢ１４から取得すべき広告情報を選択し、取得する。
【０２１６】
より具体的には、たとえば、広告判断部２４には、計測装置１０Ｂの設置場所における温度が所定の閾値より高くなった場合であって、計測装置１０Ｂの設置された施設周辺の気温が所定の閾値より高いときに取得すべき広告は空調設備のメンテナンス業者に関する広告である旨が登録されている。
【０２１７】
また、たとえば、広告判断部２４には、センサ情報または管理情報の内容と、プライベート情報の内容とが所定の条件を満たした場合に取得すべき広告の種類が予め登録されている。そして、広告判断部２４は、センサ情報または管理情報とプライベート情報とに基づいて、広告ＤＢ１４から取得すべき広告情報を選択し、取得する。
【０２１８】
より具体的には、たとえば、広告判断部２４には、計測装置１０Ｂの設置場所における温度が所定の閾値より高くなった場合であって、計測装置１０Ｂの設置された施設における空調設備の稼働年数が所定の閾値を超えていたときに取得すべき広告は空調設備に関する広告である旨が登録されている。
【０２１９】
表示制御部２３は、センサ情報または管理情報と、センサ情報および管理情報以外の情報とに基づく広告を表示する制御を行う。具体的には、表示制御部２３は、広告判断部２４から受けた広告情報を端末装置１６へ送信することにより、広告を端末装置１６の画面に表示させる。
【０２２０】
［動作］
次に、本発明の第２の実施の形態に係る管理システムが広告を表示する際の動作を説明する。
【０２２１】
管理システムにおける各装置は、コンピュータを備え、当該コンピュータにおけるＣＰＵ等の演算処理部は、以下のフローチャートおよびシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０２２２】
図１５は、本発明の第２の実施の形態に係る管理システムが広告を表示する際のシーケンスの一例を示す図である。
【０２２３】
図１５を参照して、ステップＳ１１２〜Ｓ１１７の動作は、図１０に示すＳ１２〜Ｓ１７の動作とそれぞれ同様である。
【０２２４】
次に、管理装置１５は、たとえば、センサ情報または管理情報の内容が所定の条件を満たした場合、パブリック情報を要求するための要求情報ＰをパブリックＤＢ１８へ送信する（ステップＳ１１８）。
【０２２５】
次に、パブリックＤＢ１８は、管理装置１５から要求情報Ｐを受信して、自己の記憶しているパブリック情報を管理装置１５へ送信する（ステップＳ１１９）。
【０２２６】
次に、管理装置１５は、パブリックＤＢ１８からパブリック情報を受信して、受信したパブリック情報と、センサ情報または管理情報とに基づいて、広告ＤＢ１４に保存された広告情報のうち、取得すべき種類の広告を示す広告情報を選択する（ステップＳ１２０）。
【０２２７】
そして、管理装置１５は、選択した広告情報の送信を要求するための要求情報Ｃを作成し（ステップＳ１２１）、作成した要求情報Ｃを広告ＤＢ１４へ送信する（ステップＳ１２２）。
【０２２８】
次に、広告ＤＢ１４は、管理装置１５から要求情報Ｃを受信し、受信した要求情報Ｃに基づいて、広告情報を管理装置１５へ送信する（ステップＳ１２３）。
【０２２９】
次に、管理装置１５は、広告ＤＢ１４から広告情報を受信して、受信した広告情報の示す広告すなわちセンサ情報または管理情報とパブリック情報とに基づく広告を端末装置１６の画面に表示する制御を行う。具体的には、管理装置１５は、受信した広告情報を端末装置１６へ送信する（ステップＳ１２４）。
【０２３０】
次に、端末装置１６は、管理装置１５から広告情報を受信して、受信した広告情報の示す広告を自己の画面に表示する（ステップＳ１２５）。
【０２３１】
図１６は、本発明の第２の実施の形態に係る管理システムが広告を表示する際のシーケンスの他の例を示す図である。
【０２３２】
図１６を参照して、ステップＳ２１２〜Ｓ２１７の動作は、図１０に示すＳ１２〜Ｓ１７の動作とそれぞれ同様である。
【０２３３】
次に、管理装置１５は、たとえば、センサ情報または管理情報の内容が所定の条件を満たした場合、プライベート情報を要求するための要求情報ＱをプライベートＤＢ１９へ送信する（ステップＳ２１８）。
【０２３４】
次に、プライベートＤＢ１９は、管理装置１５から要求情報Ｑを受信して、自己の記憶しているプライベート情報を管理装置１５へ送信する（ステップＳ２１９）。
【０２３５】
次に、管理装置１５は、プライベートＤＢ１９からプライベート情報を受信して、受信したプライベート情報と、センサ情報または管理情報とに基づいて、広告ＤＢ１４に保存された広告情報のうち、取得すべき種類の広告を示す広告情報を選択する（ステップＳ２２０）。
【０２３６】
そして、管理装置１５は、選択した広告情報の送信を要求するための要求情報Ｃを作成し（ステップＳ２２１）、作成した要求情報Ｃを広告ＤＢ１４へ送信する（ステップＳ２２２）。
【０２３７】
次に、広告ＤＢ１４は、管理装置１５から要求情報Ｃを受信し、受信した要求情報Ｃに基づいて、広告情報を管理装置１５へ送信する（ステップＳ２２３）。
【０２３８】
次に、管理装置１５は、広告ＤＢ１４から広告情報を受信して、受信した広告情報の示す広告すなわちセンサ情報または管理情報とプライベート情報とに基づく広告を端末装置１６の画面に表示する制御を行う。具体的には、管理装置１５は、受信した広告情報を端末装置１６へ送信する（ステップＳ２２４）。
【０２３９】
次に、端末装置１６は、管理装置１５から広告情報を受信して、受信した広告情報の示す広告を自己の画面に表示する（ステップＳ２２５）。
【０２４０】
以上のように、管理装置１５における広告判断部２４は、センサ情報と、センサ情報および管理情報以外の他の情報とに基づく広告、具体的には、センサ情報そのものまたは管理情報と、センサ情報および管理情報以外の他の情報とに基づく広告を表示する制御を行うことが可能である。
【０２４１】
このような構成により、たとえば、センサ情報および他の情報に基づいて選択した広告をユーザに提示することができるため、ユーザにとってより有用な広告を提示することができる。
【０２４２】
その他の構成および動作は第１の実施の形態に係る管理システムと同様であるため、ここでは詳細な説明を繰り返さない。
【０２４３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２４４】
以上の説明は、以下に付記する特徴を含む。
【０２４５】
［付記１］
センサによる計測結果を示すセンサ情報を取得する取得部と、
前記取得部によって取得された前記センサ情報、および前記センサ情報に基づいて作成された管理情報の少なくともいずれか一方を端末装置の画面にＧＵＩを用いて表示する制御を行う表示制御部とを備え、
前記表示制御部は、前記画面に広告を表示する制御を行うことが可能であり、
前記取得部は、複数のセンサからの前記センサ情報を取得し、
前記センサ情報は、無線伝送された後、前記取得部によって取得される、管理装置。
【０２４６】
［付記２］
複数のセンサと、
前記センサによる計測結果を示すセンサ情報を取得し、取得した前記センサ情報、および前記センサ情報に基づいて作成された管理情報の少なくともいずれか一方を端末装置の画面にＧＵＩを用いて表示する制御を行う管理装置とを備え、
前記管理装置は、前記画面に広告を表示する制御を行うことが可能であり、
前記管理装置は、各前記センサからの前記センサ情報を取得し、
前記センサ情報は、無線伝送された後、前記管理装置に取得される、管理システム。
【符号の説明】
【０２４７】
１０，１０Ａ，１０Ｂ，１０Ｃ  計測装置
１１，１１Ａ，１１Ｂ，１１Ｃ  センサ
１２  基地局
１３  ネットワーク
１５  管理装置
１６  端末装置
１４  広告ＤＢ
１７  取得情報ＤＢ
１８  パブリックＤＢ
１９  プライベートＤＢ
２１  取得部
２２，４２  処理部
２３  表示制御部
２４  広告判断部
４１  電池部
４３  送信部
１０１  管理システム
【図１】
0006451126.tif 000002
【図２】
0006451126.tif 000003
【図３】
0006451126.tif 000004
【図４】
0006451126.tif 000005
【図５】
0006451126.tif 000006
【図６】
0006451126.tif 000007
【図７】
0006451126.tif 000008
【図８】
0006451126.tif 000009
【図９】
0006451126.tif 000010
【図１０】
0006451126.tif 000011
【図１１】
0006451126.tif 000012
【図１２】
0006451126.tif 000013
【図１３】
0006451126.tif 000014
【図１４】
0006451126.tif 000015
【図１５】
0006451126.tif 000016
【図１６】
0006451126.tif 000017